(57)【要約】【課題】データ受信装置のＩＰアドレスが変更されたり、該データ受信装置の属するネットワーク構成が変わったり、該データ受信装置にアクセス可能なアカウントが変更されたりしても、該データ受信装置にアクセスするためのネットワーク設定をデータ送信装置に簡易にかつ確実に設定することができるアクセス情報設定システム、アクセス情報設定方法、およびデータ送信装置を提供する。【解決手段】  書き込み装置がネットワークを介してデータ受信装置にアクセスするためのアクセス情報を記憶媒体に書き込み、データ送信装置が、記憶媒体に書き込まれたアクセス情報を取得するとともに、その取得したアクセス情報に基づいて、データ受信装置にアクセスするためのネットワーク設定を、自装置が利用可能な一のネットワーク設定として設定する【選択図】図３
2018116664.tif 000002
【特許請求の範囲】
【請求項１】
データ受信装置と、
前記データ受信装置に、ネットワークを介してデータを送信するデータ送信装置と、
前記データ受信装置に前記ネットワークを介してアクセスするためのアクセス情報を記憶媒体に書き込む書き込み装置と、
を備え、
前記データ送信装置は、前記記憶媒体に書き込まれた前記アクセス情報を取得するとともに、該アクセス情報に基づいて、前記データ受信装置にアクセスするためのネットワーク設定を、自装置が利用可能な一のネットワーク設定として設定する
ことを特徴とするアクセス情報設定システム。
【請求項２】
前記データ送信装置は、前記アクセス情報に基づいて設定したネットワーク設定を使用して前記データ受信装置にデータを送信する
ことを特徴とする請求項１に記載のアクセス情報設定システム。
【請求項３】
前記アクセス情報には、前記データ受信装置にアクセスするための認証方法およびアカウント情報が含まれており、
前記データ送信装置は、前記認証方法と前記アカウント情報を使用して前記データ受信装置にアクセスするための認証を受けて前記データ受信装置にデータを送信する
ことを特徴とする請求項２に記載のアクセス情報設定システム。
【請求項４】
前記アクセス情報には、前記データ受信装置にアクセスするための認証方法および前記データ受信装置にアクセス可能なアカウントを一時的に貸し出す貸し出しサーバのアドレスが含まれており、
前記データ送信装置は、前記認証方法と前記貸し出しサーバから貸し出されたアカウントを使用して前記データ受信装置にアクセスするための認証を受けて前記データ受信装置にデータを送信する
ことを特徴とする請求項２に記載のアクセス情報設定システム。
【請求項５】
データ送信装置は、ユーザ認証を行う認証部を更に備え、
前記記憶媒体は、前記ユーザ認証に使用する認証媒体に含まれており、
前記データ送信装置は、前記認証媒体を使用した前記ユーザ認証に成功したとき前記記憶媒体から前記アクセス情報を取得する
ことを特徴とする請求項１乃至４のいずれか１つに記載のアクセス情報設定システム。
【請求項６】
前記アクセス情報に基づく前記データ受信装置にアクセスするためのネットワーク設定を、自装置が既に保持しているネットワーク設定とは別に追加設定する
ことを特徴とする請求項１乃至５のいずれか１つに記載のアクセス情報設定システム。
【請求項７】
前記データ受信装置にアクセスするためのネットワーク設定は送信元アドレスを含む
ことを特徴とする請求項１乃至６のいずれか１つに記載のアクセス情報設定システム。
【請求項８】
前記送信元アドレスは、前記アクセス情報に含まれる、もしくは、前記アクセス情報は前記送信元アドレスを一時的に貸し出す貸し出しサーバのアドレスを含み、前記データ送信装置は前記貸し出しサーバから前記送信元アドレスを取得する
ことを特徴とする請求項７に記載のアクセス情報設定システム。
【請求項９】
前記書き込み装置は、前記アクセス情報と共に、前記データ受信装置が有する鍵情報に対応する鍵情報を前記記憶媒体に書き込み、
前記データ送信装置は、前記記憶媒体から読み出した前記鍵情報を前記データ受信装置に送信し、
前記データ受信装置は、データ送信装置から受信した鍵情報と自装置が有する鍵情報を比較してアクセス権の有無を判定してその判定結果を前記データ送信装置に送信し、
前記データ送信装置は、アクセス権有りの判定結果を受信した場合のみ、前記記憶媒体から得たアクセス情報に基づくネットワーク設定を使用して前記データ受信装置にデータを送信する動作を許可する
ことを特徴とする請求項１乃至８のいずれか１つに記載のアクセス情報設定システム。
【請求項１０】
前記書き込み装置はデータ受信装置に含まれる
ことを特徴とする請求項１乃至９のいずれか１つに記載のアクセス情報設定システム。
【請求項１１】
前記データ受信装置は、ユーザ認証を行う認証部を更に備え、
前記記憶媒体は、前記ユーザ認証に使用する認証媒体に含まれており、
前記データ受信装置は、前記認証媒体を使用した前記ユーザ認証に成功したとき前記記憶媒体に前記アクセス情報を書き込む
ことを特徴とする請求項１０に記載のアクセス情報設定システム。
【請求項１２】
書き込み装置が、データ受信装置にネットワークを介してアクセスするためのアクセス情報を記憶媒体に書き込む書き込みステップと、
データ送信装置が、前記記憶媒体に書き込まれた前記アクセス情報を取得する取得ステップと、
前記データ送信装置が、前記取得ステップで取得した前記アクセス情報に基づいて、前記データ受信装置にアクセスするためのネットワーク設定を、自装置が利用可能な一のネットワーク設定として設定する設定ステップと、
を有する
ことを特徴とするアクセス情報設定方法。
【請求項１３】
前記データ送信装置が、前記アクセス情報に基づいて設定したネットワーク設定を使用して前記データ受信装置にデータを送信する送信ステップを更に有する
ことを特徴とする請求項１２に記載のアクセス情報設定方法。
【請求項１４】
前記アクセス情報には、前記データ受信装置にアクセスするための認証方法および前記データ受信装置にアクセス可能なアカウント情報が含まれており、
前記送信ステップでは、前記データ送信装置は、前記認証方法と前記アカウント情報を使用して前記データ受信装置にアクセスするための認証を受けて前記データ受信装置にデータを送信する
ことを特徴とする請求項１３に記載のアクセス情報設定方法。
【請求項１５】
前記アクセス情報には、前記データ受信装置にアクセスするための認証方法および前記データ受信装置にアクセス可能なアカウントを一時的に貸し出す貸し出しサーバのアドレスが含まれており、
前記送信ステップでは、前記データ送信装置は、前記認証方法と前記貸し出しサーバから貸し出されたアカウントを使用して前記データ受信装置にアクセスするための認証を受けて前記データ受信装置にデータを送信する
ことを特徴とする請求項１３に記載のアクセス情報設定方法。
【請求項１６】
前記データ送信装置がユーザ認証を行うステップを更に有し、
前記記憶媒体は、前記ユーザ認証に使用する認証媒体に含まれており、
前記取得ステップでは、前記データ送信装置は、前記認証媒体を使用した前記ユーザ認証に成功したとき前記記憶媒体から前記アクセス情報を取得する
ことを特徴とする請求項１２乃至１５のいずれか１つに記載のアクセス情報設定方法。
【請求項１７】
前記設定ステップでは、前記データ送信装置が、前記アクセス情報に基づく前記データ受信装置にアクセスするためのネットワーク設定を、自装置が既に保持しているネットワーク設定とは別に追加設定する
ことを特徴とする請求項１２乃至１６のいずれか１つに記載のアクセス情報設定方法。
【請求項１８】
前記データ受信装置にアクセスするためのネットワーク設定は送信元アドレスを含む
ことを特徴とする請求項１２乃至１７のいずれか１つに記載のアクセス情報設定方法。
【請求項１９】
前記送信元アドレスは、前記アクセス情報に含まれる、もしくは、前記アクセス情報は前記送信元アドレスを一時的に貸し出す貸し出しサーバのアドレスを含み、前記データ送信装置は前記貸し出しサーバから前記送信元アドレスを取得する
ことを特徴とする請求項１８に記載のアクセス情報設定方法。
【請求項２０】
前記書き込みステップでは、前記書き込み装置は、前記アクセス情報と共に、前記データ受信装置が有する鍵情報に対応する鍵情報を前記記憶媒体に書き込み、
前記データ送信装置が、前記記憶媒体から読み出した前記鍵情報を前記データ受信装置に送信する鍵情報送信ステップと、
前記データ受信装置が、前記データ送信装置から受信した鍵情報と自装置が有する鍵情報を比較してアクセス権の有無を判定してその判定結果を前記データ送信装置に送信する鍵情報返信ステップと、
前記データ送信装置が、アクセス権有りの判定結果を受信した場合のみ、前記記憶媒体から得たアクセス情報に基づくネットワーク設定を使用して前記データ受信装置にデータを送信する動作を許可する許可ステップと、
を更に有する
ことを特徴とする請求項１２乃至１９のいずれか１つに記載のアクセス情報設定方法。
【請求項２１】
前記書き込み装置はデータ受信装置に含まれる
ことを特徴とする請求項１２乃至２０のいずれか１つに記載のアクセス情報設定方法。
【請求項２２】
前記データ受信装置が、ユーザ認証を行うステップをさらに備え、
前記記憶媒体は、前記ユーザ認証に使用する認証媒体に含まれており、
前記書き込みステップでは、前記データ受信装置は、前記認証媒体を使用した前記ユーザ認証に成功したとき前記記憶媒体に前記アクセス情報を書き込む
ことを特徴とする請求項２１に記載のアクセス情報設定方法。
【請求項２３】
書き込み装置が、データ受信装置にネットワークを介してアクセスするためのアクセス情報を書き込んだ記憶媒体から、前記アクセス情報を取得する取得部と、
前記アクセス情報に基づいて、前記データ受信装置にアクセスするためのネットワーク設定を、自装置が利用可能な一のネットワーク設定として設定する設定部と、
前記アクセス情報に基づいて設定したネットワーク設定を使用して前記データ受信装置にデータを送信する送信部と、
を備える
ことを特徴とするデータ送信装置。
【請求項２４】
前記アクセス情報には、前記データ受信装置にアクセスするための認証方法および前記データ受信装置にアクセス可能なアカウント情報が含まれており、
前記送信部は、前記認証方法と前記アカウント情報を使用して前記データ受信装置にアクセスするための認証を受けて前記データ受信装置にデータを送信する
ことを特徴とする請求項２３に記載のデータ送信装置。
【請求項２５】
前記アクセス情報には、前記データ受信装置にアクセスするための認証方法および前記データ受信装置にアクセス可能なアカウントを一時的に貸し出す貸し出しサーバのアドレスが含まれており、
前記送信部は、前記認証方法と、前記貸し出しサーバから貸し出されたアカウントを使用して前記データ受信装置にアクセスするための認証を受けて前記データ受信装置にデータを送信する
ことを特徴とする請求項２３に記載のデータ送信装置。
【請求項２６】
ユーザ認証を行う認証部を更に備え、
前記記憶媒体は、前記ユーザ認証に使用する認証媒体に含まれており、
前記取得部は、前記認証部が前記認証媒体を使用した前記ユーザ認証に成功したとき前記記憶媒体から前記アクセス情報を取得する
ことを特徴とする請求項２３乃至２５のいずれか１つに記載のデータ送信装置。
【請求項２７】
前記設定部は、前記アクセス情報に基づく前記データ受信装置にアクセスするためのネットワーク設定を、自装置が既に保持しているネットワーク設定とは別に追加設定する
ことを特徴とする請求項２３乃至２６のいずれか１つに記載のデータ送信装置。
【請求項２８】
前記データ受信装置にアクセスするためのネットワーク設定は送信元アドレスを含む
ことを特徴とする請求項２３乃至２７のいずれか１つに記載のデータ送信装置。
【請求項２９】
前記送信元アドレスは、前記アクセス情報に含まれる、もしくは、前記アクセス情報は前記送信元アドレスを一時的に貸し出す貸し出しサーバのアドレスを含み、前記取得部は前記貸し出しサーバから前記送信元アドレスを取得する
ことを特徴とする請求項２８に記載のデータ送信装置。
【請求項３０】
前記取得部は、前記書き込み装置が前記アクセス情報と共に前記記憶媒体に書き込んだ、前記データ受信装置が有する鍵情報に対応する鍵情報を取得し、
前記送信部は、前記記憶媒体から読み出した前記鍵情報を前記データ受信装置に送信し、
前記データ受信装置が、前記送信部が送信した鍵情報と自装置が有する鍵情報を比較してアクセス権の有無を判定して得た判定結果を受ける返信受信部と、
アクセス権有りの判定結果を前記返信受信部が受信した場合のみ、前記記憶媒体から得たアクセス情報に基づくネットワーク設定を使用して前記データ受信装置にデータを送信する動作を許可する制御部と、
を更に有する
ことを特徴とする請求項２３乃至２９のいずれか１つに記載のデータ送信装置。
【発明の詳細な説明】
【技術分野】
【０００１】
本発明は、データ受信装置と通信可能になるようデータ送信装置でのネットワーク設定を行うアクセス情報設定システム、アクセス情報設定方法およびデータ送信装置に関する。
【背景技術】
【０００２】
従来、ＭＦＰ（Multi Function Printer）などのスキャン機能を有する画像形成装置では、Scan To SMB(Sambaにおいて共有フォルダへスキャンデータを送信する)などの機能によって、スキャンデータを外部装置に送信することが一般的に行われている。
【０００３】
このとき、スキャンデータの送信先となるＰＣ（Personal Computer）やサーバなどが含まれるネットワーク構成が変わったり、送信先のＩＰアドレス（Internet Protocol address）が変わったり、ドメインやパスワードなど認証方法が変わったりすると、その都度、ＭＦＰに登録されている該ＰＣやサーバの送信先情報を設定し直さなくてはいけなかった。
【０００４】
そこで、上記のような場合に、送信先情報を簡易な方法で設定し直すことのできる技術が提案されている。
【０００５】
たとえば、下記特許文献１には、通信端末装置(印刷装置)がネットワークに存在する装置のＭＡＣアドレス（Media Access Control Address）とそのＩＰアドレスをブロードキャストで問い合わせて記録しておき、ユーザがかざしたＩＣカードに記録されたＭＡＣアドレスを読み取るとともに、そのＭＡＣアドレスに該当するＩＰアドレスが記録の中に存在した場合にそのＩＰアドレスに対して通信を行う技術が開示されている。
【先行技術文献】
【特許文献】
【０００６】
【特許文献１】特開２０１６−１５０８０号公報
【発明の概要】
【発明が解決しようとする課題】
【０００７】
ところで、スキャンデータの送信先となる装置と、ＭＦＰの所属するサブネットワークが異なる場合、ブロードキャストが届かなかったり、異なるサブネットワーク間にフィルタがかかっていたりすると、宛先となるＩＰアドレス等を設定しても、ＭＦＰからＰＣに対してアクセスができない等、問題が発生する場合がある。
【０００８】
特許文献１に記載の方法では、印刷装置の通信相手の装置のＩＰアドレスが変更されたとしても追従できるが、ブロードキャストの届かないネットワークに存在する装置に対してはＭＡＣアドレスを収集することができず適用することができない。また、認証方式やネットマスクなど、通信相手の装置が所属するネットワークにあったネットワーク設定ができず、ＩＰアドレスが見つかっても通信が正常に行われるとは限らないという問題がある。
【０００９】
本発明は、上記の問題を解決しようとするものであり、データ受信装置のＩＰアドレスが変更されたり、該データ受信装置の属するネットワーク構成が変わったり、該データ受信装置にアクセス可能なアカウントが変更されたりしても、該データ受信装置にアクセスするためのネットワーク設定をデータ送信装置に簡易にかつ確実に設定することができるアクセス情報設定システム、アクセス情報設定方法、およびそのデータ送信装置を提供することを目的としている。
【課題を解決するための手段】
【００１０】
かかる目的を達成するための本発明の要旨とするところは、次の各項の発明に存する。
【００１１】
［１］データ受信装置と、
前記データ受信装置に、ネットワークを介してデータを送信するデータ送信装置と、
前記データ受信装置に前記ネットワークを介してアクセスするためのアクセス情報を記憶媒体に書き込む書き込み装置と、
を備え、
前記データ送信装置は、前記記憶媒体に書き込まれた前記アクセス情報を取得するとともに、該アクセス情報に基づいて、前記データ受信装置にアクセスするためのネットワーク設定を、自装置が利用可能な一のネットワーク設定として設定する
ことを特徴とするアクセス情報設定システム。
【００１２】
上記［１］および下記［１２］、［２３］に記載の発明では、データ受信装置にネットワークを介してアクセスするためのアクセス情報を書き込み装置が記憶媒体に書き込む。その後、データ送信装置が該記憶媒体から該アクセス情報を取得し、該アクセス情報に基づいてデータ受信装置にアクセスするためのネットワーク設定を、自装置が利用可能な一のネットワーク設定として設定する。これにより、記憶媒体を持ったユーザがデータ受信装置とデータ送信装置を行き来するだけで、データ送信装置からデータ受信装置へのアクセスが可能となる。
【００１３】
［２］前記データ送信装置は、前記アクセス情報に基づいて設定したネットワーク設定を使用して前記データ受信装置にデータを送信する
ことを特徴とする［１］に記載のアクセス情報設定システム。
【００１４】
［３］前記アクセス情報には、前記データ受信装置にアクセスするための認証方法およびアカウント情報が含まれており、
前記データ送信装置は、前記認証方法と前記アカウント情報を使用して前記データ受信装置にアクセスするための認証を受けて前記データ受信装置にデータを送信する
ことを特徴とする［２］に記載のアクセス情報設定システム。
【００１５】
上記［３］および下記［１４］、［２４］に記載の発明では、アクセス情報に含まれる認証方法およびアカウント情報を使用してデータ受信装置にアクセスするための認証を受けてデータを送信する。該認証は、たとえば、データ受信装置が行ってもよいし、認証装置を設けて認証を受けるようにしてもよい。また、該認証は、データ受信装置にアクセスするために認証が必要な場合に対応するものであり、データ受信装置にアクセスするために認証が不要な場合は該認証を受けずにアクセスしてもよい。
【００１６】
［４］前記アクセス情報には、前記データ受信装置にアクセスするための認証方法および前記データ受信装置にアクセス可能なアカウントを一時的に貸し出す貸し出しサーバのアドレスが含まれており、
前記データ送信装置は、前記認証方法と前記貸し出しサーバから貸し出されたアカウントを使用して前記データ受信装置にアクセスするための認証を受けて前記データ受信装置にデータを送信する
ことを特徴とする［２］に記載のアクセス情報設定システム。
【００１７】
上記［４］および下記［１５］、［２５］に記載の発明では、アクセス情報に含まれる貸し出しサーバのアドレスを利用して、データ受信装置にアクセス可能なアカウントを一時的に借り受け、該アクセス情報に含まれる認証方法と、該借り受けたアカウントを使用してデータ受信装置にアクセスするための認証を受けてデータを送信する。該認証は、たとえば、データ受信装置が行ってもよいし、認証装置を設けて認証を受けるようにしてもよい。また、該認証は、データ受信装置にアクセスするために認証が必要な場合に対応するものであり、データ受信装置にアクセスするために認証が不要な場合は該認証を受けずにアクセスしてもよい。
【００１８】
［５］データ送信装置は、ユーザ認証を行う認証部を更に備え、
前記記憶媒体は、前記ユーザ認証に使用する認証媒体に含まれており、
前記データ送信装置は、前記認証媒体を使用した前記ユーザ認証に成功したとき前記記憶媒体から前記アクセス情報を取得する
ことを特徴とする［１］乃至［４］のいずれか１つに記載のアクセス情報設定システム。
【００１９】
上記［５］および下記［１６］、［２６］に記載の発明では、データ送信装置にてユーザ認証を行う場合に使用される認証媒体に、アクセス情報が書き込まれる記憶媒体が含まれる。そして、データ送信装置にてユーザ認証が成功し、ログインした場合に該認証媒体からアクセス情報を取得する。ログインを行う一連の動作のみでアクセス情報も併せて読み出されるので、その分ユーザの負担が少なくなる。
【００２０】
［６］前記アクセス情報に基づく前記データ受信装置にアクセスするためのネットワーク設定を、自装置が既に保持しているネットワーク設定とは別に追加設定する
ことを特徴とする［１］乃至［５］のいずれか１つに記載のアクセス情報設定システム。
【００２１】
上記［６］および下記［１７］、［２７］に記載の発明では、アクセス情報に基づくネットワーク設定を、自装置が既に保持しているネットワーク設定とは別に追加設定する。それまで保持していたネットワーク設定が削除されずに残るので、送信先に合わせてネットワーク設定を切り替えることができる。
【００２２】
［７］前記データ受信装置にアクセスするためのネットワーク設定は送信元アドレスを含む
ことを特徴とする［１］乃至［６］のいずれか１つに記載のアクセス情報設定システム。
【００２３】
上記［７］および下記［１８］、［２８］に記載の発明では、ネットワーク設定にデータ受信装置にアクセスするための送信元アドレスが含まれる。たとえば、データ受信装置と同じサブネットワークに所属するアドレスを送信元アドレスとして設定することで、データ受信装置が自装置と同じサブネットワークに属するアドレスを送信元アドレスとする送信装置からのデータしか受け付けない場合にも対応可能となる。
【００２４】
［８］前記送信元アドレスは、前記アクセス情報に含まれる、もしくは、前記アクセス情報は前記送信元アドレスを一時的に貸し出す貸し出しサーバのアドレスを含み、前記データ送信装置は前記貸し出しサーバから前記送信元アドレスを取得する
ことを特徴とする［７］に記載のアクセス情報設定システム。
【００２５】
［９］前記書き込み装置は、前記アクセス情報と共に、前記データ受信装置が有する鍵情報に対応する鍵情報を前記記憶媒体に書き込み、
前記データ送信装置は、前記記憶媒体から読み出した前記鍵情報を前記データ受信装置に送信し、
前記データ受信装置は、データ送信装置から受信した鍵情報と自装置が有する鍵情報を比較してアクセス権の有無を判定してその判定結果を前記データ送信装置に送信し、
前記データ送信装置は、アクセス権有りの判定結果を受信した場合のみ、前記記憶媒体から得たアクセス情報に基づくネットワーク設定を使用して前記データ受信装置にデータを送信する動作を許可する
ことを特徴とする［１］乃至［８］のいずれか１つに記載のアクセス情報設定システム。
【００２６】
上記［９］および下記［２０］、［３０］に記載の発明では、データ受信装置の鍵情報に対応する鍵情報を記憶媒体に書き込むとともに、データ送信装置がこれを取得してデータ受信装置に送信する。データ受信装置は、データ送信装置から受信した鍵情報と自装置が有する鍵情報を比較してアクセス権の有無を判定してその判定結果をデータ送信装置に返す。そして、データ送信装置は、アクセス権有りの判定結果を受信した場合のみ、記憶媒体から得たアクセス情報に基づくネットワーク設定を使用してデータ受信装置にデータを送信する動作を許可する。これにより、書き込み装置以外の装置からアクセス情報が書き込まれた記憶媒体からアクセス情報を取得しても、データ受信装置にデータを送信することが禁止されるので、一定以上のセキュリティが保たれる。
【００２７】
［１０］前記書き込み装置はデータ受信装置に含まれる
ことを特徴とする［１］乃至［９］のいずれか１つに記載のアクセス情報設定システム。
【００２８】
［１１］前記データ受信装置は、ユーザ認証を行う認証部を更に備え、
前記記憶媒体は、前記ユーザ認証に使用する認証媒体に含まれており、
前記データ受信装置は、前記認証媒体を使用した前記ユーザ認証に成功したとき前記記憶媒体に前記アクセス情報を書き込む
ことを特徴とする［１０］に記載のアクセス情報設定システム。
【００２９】
上記［１１］および下記［２２］に記載の発明では、データ受信装置にてユーザ認証を行う場合に使用される認証媒体に、アクセス情報が書き込まれる記憶媒体が含まれる。そして、データ受信装置にてユーザ認証が成功し、ログインした場合に認証媒体内の記憶媒体にアクセス情報を書き込む。ログインを行う一連の動作のみでアクセス情報が書き込まれるので、その分ユーザの負担が少なくなる。
【００３０】
［１２］書き込み装置が、データ受信装置にネットワークを介してアクセスするためのアクセス情報を記憶媒体に書き込む書き込みステップと、
データ送信装置が、前記記憶媒体に書き込まれた前記アクセス情報を取得する取得ステップと、
前記データ送信装置が、前記取得ステップで取得した前記アクセス情報に基づいて、前記データ受信装置にアクセスするためのネットワーク設定を、自装置が利用可能な一のネットワーク設定として設定する設定ステップと、
を有する
ことを特徴とするアクセス情報設定方法。
【００３１】
［１３］前記データ送信装置が、前記アクセス情報に基づいて設定したネットワーク設定を使用して前記データ受信装置にデータを送信する送信ステップを更に有する
ことを特徴とする［１２］に記載のアクセス情報設定方法。
【００３２】
［１４］前記アクセス情報には、前記データ受信装置にアクセスするための認証方法および前記データ受信装置にアクセス可能なアカウント情報が含まれており、
前記送信ステップでは、前記データ送信装置は、前記認証方法と前記アカウント情報を使用して前記データ受信装置にアクセスするための認証を受けて前記データ受信装置にデータを送信する
ことを特徴とする［１３］に記載のアクセス情報設定方法。
【００３３】
［１５］前記アクセス情報には、前記データ受信装置にアクセスするための認証方法および前記データ受信装置にアクセス可能なアカウントを一時的に貸し出す貸し出しサーバのアドレスが含まれており、
前記送信ステップでは、前記データ送信装置は、前記認証方法と前記貸し出しサーバから貸し出されたアカウントを使用して前記データ受信装置にアクセスするための認証を受けて前記データ受信装置にデータを送信する
ことを特徴とする［１３］に記載のアクセス情報設定方法。
【００３４】
［１６］前記データ送信装置がユーザ認証を行うステップを更に有し、
前記記憶媒体は、前記ユーザ認証に使用する認証媒体に含まれており、
前記取得ステップでは、前記データ送信装置は、前記認証媒体を使用した前記ユーザ認証に成功したとき前記記憶媒体から前記アクセス情報を取得する
ことを特徴とする［１２］乃至［１５］のいずれか１つに記載のアクセス情報設定方法。
【００３５】
［１７］前記設定ステップでは、前記データ送信装置が、前記アクセス情報に基づく前記データ受信装置にアクセスするためのネットワーク設定を、自装置が既に保持しているネットワーク設定とは別に追加設定する
ことを特徴とする［１２］乃至［１６］のいずれか１つに記載のアクセス情報設定方法。
【００３６】
［１８］前記データ受信装置にアクセスするためのネットワーク設定は送信元アドレスを含む
ことを特徴とする［１２］乃至［１７］のいずれか１つに記載のアクセス情報設定方法。
【００３７】
［１９］前記送信元アドレスは、前記アクセス情報に含まれる、もしくは、前記アクセス情報は前記送信元アドレスを一時的に貸し出す貸し出しサーバのアドレスを含み、前記データ送信装置は前記貸し出しサーバから前記送信元アドレスを取得する
ことを特徴とする［１８］に記載のアクセス情報設定方法。
【００３８】
［２０］前記書き込みステップでは、前記書き込み装置は、前記アクセス情報と共に、前記データ受信装置が有する鍵情報に対応する鍵情報を前記記憶媒体に書き込み、
前記データ送信装置が、前記記憶媒体から読み出した前記鍵情報を前記データ受信装置に送信する鍵情報送信ステップと、
前記データ受信装置が、前記データ送信装置から受信した鍵情報と自装置が有する鍵情報を比較してアクセス権の有無を判定してその判定結果を前記データ送信装置に送信する鍵情報返信ステップと、
前記データ送信装置が、アクセス権有りの判定結果を受信した場合のみ、前記記憶媒体から得たアクセス情報に基づくネットワーク設定を使用して前記データ受信装置にデータを送信する動作を許可する許可ステップと、
を更に有する
ことを特徴とする［１２］乃至［１９］のいずれか１つに記載のアクセス情報設定方法。
【００３９】
［２１］前記書き込み装置はデータ受信装置に含まれる
ことを特徴とする［１２］乃至［２０］のいずれか１つに記載のアクセス情報設定方法。
【００４０】
［２２］前記データ受信装置が、ユーザ認証を行うステップをさらに備え、
前記記憶媒体は、前記ユーザ認証に使用する認証媒体に含まれており、
前記書き込みステップでは、前記データ受信装置は、前記認証媒体を使用した前記ユーザ認証に成功したとき前記記憶媒体に前記アクセス情報を書き込む
ことを特徴とする［２１］に記載のアクセス情報設定方法。
【００４１】
［２３］書き込み装置が、データ受信装置にネットワークを介してアクセスするためのアクセス情報を書き込んだ記憶媒体から、前記アクセス情報を取得する取得部と、
前記アクセス情報に基づいて、前記データ受信装置にアクセスするためのネットワーク設定を、自装置が利用可能な一のネットワーク設定として設定する設定部と、
前記アクセス情報に基づいて設定したネットワーク設定を使用して前記データ受信装置にデータを送信する送信部と、
を備える
ことを特徴とするデータ送信装置。
【００４２】
［２４］前記アクセス情報には、前記データ受信装置にアクセスするための認証方法および前記データ受信装置にアクセス可能なアカウント情報が含まれており、
前記送信部は、前記認証方法と前記アカウント情報を使用して前記データ受信装置にアクセスするための認証を受けて前記データ受信装置にデータを送信する
ことを特徴とする［２３］に記載のデータ送信装置。
【００４３】
［２５］前記アクセス情報には、前記データ受信装置にアクセスするための認証方法および前記データ受信装置にアクセス可能なアカウントを一時的に貸し出す貸し出しサーバのアドレスが含まれており、
前記送信部は、前記認証方法と前記貸し出しサーバから貸し出されたアカウントを使用して前記データ受信装置にアクセスするための認証を受けて前記データ受信装置にデータを送信する
ことを特徴とする［２３］に記載のデータ送信装置。
【００４４】
［２６］ユーザ認証を行う認証部を更に備え、
前記記憶媒体は、前記ユーザ認証に使用する認証媒体に含まれており、
前記取得部は、前記認証部が前記認証媒体を使用した前記ユーザ認証に成功したとき前記記憶媒体から前記アクセス情報を取得する
ことを特徴とする［２３］乃至［２５］のいずれか１つに記載のデータ送信装置。
【００４５】
［２７］前記設定部は、前記アクセス情報に基づく前記データ受信装置にアクセスするためのネットワーク設定を、自装置が既に保持しているネットワーク設定とは別に追加設定する
ことを特徴とする［２３］乃至［２６］のいずれか１つに記載のデータ送信装置。
【００４６】
［２８］前記データ受信装置にアクセスするためのネットワーク設定は送信元アドレスを含む
ことを特徴とする［２３］乃至［２７］のいずれか１つに記載のデータ送信装置。
【００４７】
［２９］前記送信元アドレスは、前記アクセス情報に含まれる、もしくは、前記アクセス情報は前記送信元アドレスを一時的に貸し出す貸し出しサーバのアドレスを含み、前記取得部は前記貸し出しサーバから前記送信元アドレスを取得する
ことを特徴とする［２８］に記載のデータ送信装置。
【００４８】
［３０］前記取得部は、前記書き込み装置が前記アクセス情報と共に前記記憶媒体に書き込んだ、前記データ受信装置が有する鍵情報に対応する鍵情報を取得し、
前記送信部は、前記記憶媒体から読み出した前記鍵情報を前記データ受信装置に送信し、
前記データ受信装置が、前記送信部が送信した鍵情報と自装置が有する鍵情報を比較してアクセス権の有無を判定して得た判定結果を受ける返信受信部と、
アクセス権有りの判定結果を前記返信受信部が受信した場合のみ、前記記憶媒体から得たアクセス情報に基づくネットワーク設定を使用して前記データ受信装置にデータを送信する動作を許可する制御部と、
を更に有する
ことを特徴とする［２３］乃至［２９］のいずれか１つに記載のデータ送信装置。
【発明の効果】
【００４９】
本発明に係るアクセス情報設定システム、アクセス情報設定方法、およびデータ送信装置によれば、データ受信装置のＩＰアドレスが変更されたり、該データ受信装置の属するネットワーク構成が変わったり、該データ受信装置にアクセス可能なアカウントが変更されたりしても、該データ受信装置にアクセスするためのネットワーク設定をデータ送信装置に簡易にかつ確実に設定することができる。
【図面の簡単な説明】
【００５０】
【図１】アクセス情報設定システムを示す図である。
【図２】本発明の実施の形態に係る画像形成装置の概略構成を示すブロック図である
【図３】アクセス情報設定システムにおける各部の動作を示す図である。
【図４】アクセス情報の書き込み時にＰＣ端末が行う処理を示す流れ図である。
【図５】アクセス情報の取得時に画像形成装置が行う処理を示す流れ図である。
【図６】ユーザがログアウトした場合に画像形成装置が行う処理を示す流れ図である。
【図７】貸し出しサーバから、送信元アドレスやアカウントを借り受ける場合に画像形成装置が行う処理を示す流れ図である。
【図８】貸し出しサーバがアドレスの貸し出しを行う場合の処理を示す流れ図である。
【図９】ユーザがログアウトした場合に、貸し出しサーバからアドレスを借り受けた画像形成装置が行う処理を示す流れ図である。
【図１０】アドレスが返却される場合に貸し出しサーバが行う処理を示す流れ図である。
【発明を実施するための形態】
【００５１】
以下、図面に基づき本発明の実施の形態を説明する。
【００５２】
図１は、本発明の実施の形態に係るデータ送信装置としての役割を果たす画像形成装置１０を含んで構成されるアクセス情報設定システム７を示す。アクセス情報設定システム７は、画像形成装置１０とＰＣ端末４０がそれぞれ異なるルータ６０（Ａ、Ｂ）を介してネットワーク３を通じて通信可能に接続されて構成される。
【００５３】
アクセス情報設定システム７では、画像形成装置１０はルータ６０Ａに、ＰＣ端末４０はルータ６０Ｂを介してネットワーク３に通じている。すなわち、画像形成装置１０とＰＣ端末４０は異なるサブネットワークに属しており、画像形成装置１０からルータ６０Ｂに、ＰＣ端末４０からルータ６０Ａへの直接のアクセスは不可能となっている。
【００５４】
画像形成装置１０は、原稿を光学的に読み取ってその複製画像を記録紙に印刷するコピージョブ、読み取った原稿の画像データをファイルにして保存したり外部装置へ送信したりするスキャンジョブ、外部装置等から送出されたデータに係る画像を記録紙に印刷して出力するプリントジョブなどのジョブを実行する機能を備えた、所謂、複合機である。本発明の実施の形態では、画像形成装置１０は、スキャンジョブを実行して得た画像データをＰＣ端末４０に送信する。
【００５５】
ＰＣ端末４０は、表示部や操作部等を備え、文書ファイルや画像ファイルの閲覧や編集を可能とする。本発明の実施の形態では、ＰＣ端末４０はカードアクセス装置５０を備えており、該カードアクセス装置５０の上に置かれたＩＣカード９０に、他の外部装置が自装置にアクセスするためのアクセス情報を書き込む。アクセス情報についての詳細は後述する。
【００５６】
本発明の実施の形態では、画像形成装置１０は、前述の書き込みが完了した後ユーザが持ってきたＩＣカード９０からアクセス情報を読み出す。そしてそのアクセス情報に基づいて、ＰＣ端末４０にアクセスするためのネットワーク設定を、自装置が利用可能な一のネットワーク設定として設定する。これにより、簡易にＰＣ端末４０にアクセスするためのネットワーク設定を設定することができる。
【００５７】
また、本発明の実施の形態では、ＩＣカード９０を使用してＰＣ端末４０および画像形成装置１０にログインするものとし、ＰＣ端末４０へのログインが成功した時にアクセス情報が、ＰＣ端末４０からＩＣカード９０に書き込まれ、ＩＣカード９０によって画像形成装置１０にログインした時にＩＣカード９０内のアクセス情報が画像形成装置１０に読み取られる。
【００５８】
なお、図示を省略するが、アクセス情報設定システム７には、後述する貸し出しサーバや認証サーバ等、他の装置が含まれていてもよい。
【００５９】
次に、本発明の実施の形態に係る画像形成装置１０の構成について説明する。
【００６０】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。マイクロプロセッサを含むＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、認証部２３と、操作パネル３０とを備えている。
【００６１】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００６２】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００６３】
ＲＡＭ１３は、ＣＰＵ１１がプログラムに基づいて処理を実行する際に各種のデータを一時的に格納するワークメモリや画像データを格納する画像メモリなどとして使用される。
【００６４】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、印刷データや画像データ、ジョブに係る情報履歴などが保存される。
【００６５】
画像処理部１６は、画像の拡大縮小、回転などの処理のほか、印刷データをイメージデータに変換するラスタライズ処理、画像データの圧縮、伸張処理などを行う。画像処理部１６は、本発明の縮小部としての役割を果たす。
【００６６】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００６７】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着器とを有し、電子写真プロセスによって画像形成を行う、所謂、レーザープリンタとして構成されている。画像形成は、定着器を通過する方式であれば他の方式でもかまわない。
【００６８】
ファクシミリ通信部１９は、ファクシミリ機能を備えた外部装置と公衆回線を通じて画像データを送受信する機能を果たす。
【００６９】
ネットワーク通信部２０は、ＬＡＮ(Local Area Network)などのネットワークを通じてＰＣ端末４０やその他の外部装置との間でデータを通信する機能を果たす。
【００７０】
認証部２３は、自装置を使用するユーザに対してユーザ認証を行う。本発明の実施の形態では、画像形成装置１０の外部、たとえば操作パネル３０の端部などに情報読取部２４を設置し、そこにＩＣカード９０がタッチされた場合に、該ＩＣカード９０内に登録されているユーザ情報を取得してログインユーザを特定する。そして、特定されたログインユーザが自装置の使用権限を持つユーザである場合に、自装置の使用を許可する。
【００７１】
本発明の実施の形態では、情報読取部２４は、認証部２３がユーザ認証に成功したとき、ＩＣカード９０からアクセス情報も取得する。
【００７２】
操作パネル３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００７３】
タッチパネル部３４は、表示部３１上に設けられている。タッチパネル部３４は、タッチペンや指などで押下された表示部３１上の座標位置や、フリック操作やドラッグ操作等を検出する。
【００７４】
次に、ＰＣ端末４０の持つカードアクセス装置について説明する。ＰＣ端末４０の持つカードアクセス装置５０は、前述したアクセス情報を書き込む機能とともに、認証部２３としての機能を果たす。具体的には、ＰＣ端末４０にログインするとき、カードアクセス装置５０にＩＣカード９０をタッチすると、ＰＣ端末４０はそのＩＣカード９０からユーザ情報を読み出してログインユーザを特定する。アクセス情報の書き込みは、前述した手段によってログインが成功したときに行われる。
【００７５】
次に、アクセス情報設定システム７の全体での動作について図３を参照しつつ説明する。まず、ユーザがＩＣカード９０をカードアクセス装置５０にのせてＰＣ端末４０にログインし、ＰＣ端末４０がＩＣカード９０にアクセス情報を書き込む（Ｔ１）。
【００７６】
次に、ユーザがＩＣカード９０を持って画像形成装置１０のところまで移動し、情報読取部２４にＩＣカード９０をタッチして画像形成装置１０にログインする。画像形成装置１０は自装置へのログインに成功した時、ＩＣカード９０から、ＰＣ端末４０にアクセスするためのアクセス情報を取得する（Ｔ２）。
【００７７】
その後、画像形成装置１０は、取得したアクセス情報に基づいて、ＰＣ端末４０にアクセスするためのネットワーク設定を、自装置が利用可能な一のネットワーク設定として設定する。ユーザがスキャンデータ等をＰＣ端末４０に送信する場合は、その設定したネットワーク設定を使用してＰＣ端末４０にデータを送信する（Ｔ３）。なお、本発明の実施の形態では、ユーザが画像形成装置１０からログアウトする時、アクセス情報に基づいて設定したネットワーク設定を削除するものとする。
【００７８】
次に、アクセス情報とネットワーク設定について説明する。アクセス情報には、たとえば、ＰＣ端末４０のＩＰアドレスなどの設定情報の他に、ＰＣ端末４０にアクセスするための認証方法、送信時に使用するための送信元アドレス、およびＰＣ端末４０にアクセス可能なアカウント情報、もしくは、ＰＣ端末４０にアクセス可能なアカウントを一時的に貸し出す貸し出しサーバのアドレスなどが含まれる。
【００７９】
図３では、画像形成装置１０の設定情報である設定情報１１０と、ＰＣ端末４０がＩＣカード９０に書き込むアクセス情報１００がさらに記載されている。
【００８０】
図３の設定情報１１０には、ＩＰアドレス（図中、150．xx．xx．32）、ＭＡＳＫ（図中、255.255．0.0）、ＧＷ（Gate Way）（図中、150．Xx．Xx．01）が含まれている。
【００８１】
図３のアクセス情報１００には、ＩＰアドレス（図中、10．Xx．Xx．25）、ＭＡＳＫ（図中、255.255．240.0）、ＧＷ（図中、10．Xx．Xx．01）、TempＩＰ（図中、10．Xx．Xx．26）、ドメイン（図中、AAAAA）、アカウント情報（図中、userA＠AAAAA）、パスワード（図中、＊＊＊＊＊＊）が含まれている。
【００８２】
画像形成装置１０がアクセス情報１００に基づいて、ＰＣ端末４０にアクセスするためのネットワーク設定を設定する場合、アクセス先の情報としてＩＰアドレス、ＭＡＳＫ、ＧＷ等が設定される。他の情報は、たとえば、ＰＣ端末４０にアクセスするための認証等に使用される。
【００８３】
本発明の実施の形態では、アカウント情報とパスワードを使用する認証方法で、ＰＣ端末４０にアクセスするための認証を行う指示がアクセス情報１００に含まれているものとする。画像形成装置１０は、アクセス情報１００内で指示されている認証方法とアカウント情報を使用してＰＣ端末４０にアクセスするための認証を受けた後、該ネットワーク設定を使用してＰＣ端末４０にデータを送信する。
【００８４】
アクセス情報１００の中に、アカウント情報の代わりに貸し出しサーバのアドレスが含まれている場合は、画像形成装置１０は、該アドレスを使用して貸し出しサーバからアカウントを借り受ける。そして、前述の認証方法と、貸し出しサーバから借り受けたアカウントを使用してＰＣ端末４０にアクセスするための認証を受け、ＰＣ端末４０にデータを送信する。
【００８５】
また、ＰＣ端末４０にアクセスするための認証は、たとえば、ＰＣ端末４０が実行してもよいし、認証サーバを設け、該認証を行わせてもよい。ＰＣ端末４０にアクセスするための認証を認証サーバが行う場合は、アクセス情報１００に、認証サーバにアクセスするためのアドレスおよび、認証サーバで該認証を行う指示を含ませたりする。
【００８６】
なお、画像形成装置１０がアクセス情報１００に基づいて設定するネットワーク設定は送信アドレスを含む。たとえば、図３では、アクセス情報１００内のＩＰアドレス「ＩＰ：10．Xx．Xx．25」を送信先アドレスとして設定するとともに、TempＩＰ（10．Xx．Xx．26）を送信元アドレスとして設定する。
【００８７】
アクセス情報１００に含まれる送信元アドレス（TempＩＰ）は、ＰＣ端末４０と同じサブネットワークで割り当てられたアドレスとする。画像形成装置１０が、送信元アドレスとしてこのTempＩＰが設定されたネットワーク設定を使用してデータを送信する場合、ＰＣ端末４０と同じサブネットワークに属していると疑似的に認識される。よって、ＰＣ端末４０が自端末と同じサブネットワークの送信元アドレスの装置からのアクセスのみを受け付ける場合であっても、画像形成装置１０はＰＣ端末４０に確実にアクセスすることができる。
【００８８】
なお、図３では、アクセス情報１００から送信元アドレスとなるTempＩＰを直接取得していたが、送信元アドレスを一時的に貸し出す貸し出しサーバのアドレスをアクセス情報１００に含ませておき、画像形成装置１０が該アドレスを使用して、その貸し出しサーバから送信元アドレスを取得するようにしてもよい。
【００８９】
次に、ＰＣ端末４０が自端末へのアクセスを制限する方法について説明する。本発明の実施の形態では、ＰＣ端末４０は、自端末へのアクセスを以下の方法で制限する。
（方法１、鍵情報による認証）
まず、ＰＣ端末４０は、自装置の鍵情報に対応する鍵情報をアクセス情報と共にＩＣカード９０に書き込んでおく。
【００９０】
次に、画像形成装置１０は、ＩＣカード９０からアクセス情報を読み出す際に前述の鍵情報も併せて読み出す。画像形成装置１０は、該アクセス情報に基づいて設定したネットワーク設定でＰＣ端末４０にアクセスするとき、ＩＣカード９０から読み出した鍵情報を送信する。
【００９１】
ＰＣ端末４０は、画像形成装置１０から受信した鍵情報と自装置が有する鍵情報を比較してアクセス権の有無を判定し、その判定結果を画像形成装置１０に送信する。
【００９２】
画像形成装置１０は、アクセス権有りの判定結果を受信した場合のみ、ＩＣカード９０から得たアクセス情報に基づくネットワーク設定を使用してＰＣ端末４０にデータを送信する動作を許可する。具体的には、データの送信先候補が表示部３１に表示される際に、アクセス権有りの判定結果を受信していた場合のみＰＣ端末４０が一の送信先候補として表示される。
【００９３】
これにより、ＰＣ端末４０以外の装置によってアクセス情報が書き込まれたＩＣカード９０で画像形成装置１０にログインした場合は、ＰＣ端末４０へのデータの送信が禁止されるので、一定以上のセキュリティが保たれる。
【００９４】
なお、ＰＣ端末４０の持つ鍵情報は固有のものでもよいが、本発明の実施の形態では、ＩＣカード９０にアクセス情報を書き込むときに、ＰＣ端末４０が所定の鍵情報のペアを作成して片方をＩＣカード９０に書き込むものとする。
【００９５】
次に、アクセス情報設定システム７において、各装置が行う処理を示す。図４は、ＰＣ端末４０が、ＩＣカード９０にアクセス情報を書き込む際に行う処理を示す。
【００９６】
まず、カードアクセス装置５０の上にＩＣカード９０が置かれたら、ＩＣカード９０からユーザ情報等を読み出してユーザ認証を行う（ステップＳ１０１）。ユーザ認証が成功しなければ（ステップＳ１０２；Ｎｏ）ステップＳ１０１に戻って処理を継続する。ユーザ認証に成功した場合は（ステップＳ１０２；Ｙｅｓ）、ログイン処理を行う（ステップＳ１０３）。
【００９７】
次に、最新のネットワーク情報を取得して（ステップＳ１０４）、ＩＣカード９０に書き込む予定のアクセス情報を最新のものに更新する。たとえば、ＰＣ端末４０の場所が移動した等の理由で属するサブネットワークが変更された場合等は、そのサブネットワークに対応するアクセス情報に更新される。
【００９８】
次に、ＩＣカード９０にアクセス情報の上書きが必要か否かを判断する（ステップＳ１０５）。具体的には、以前にＩＣカード９０に書き込まれたアクセス情報が無い場合、もしくは以前に書き込まれたアクセス情報があるが、ステップＳ１０４にて更新したアクセス情報と内容が異なっている場合はＩＣカード９０にアクセス情報の上書きが必要であると判断し（ステップＳ１０５；Ｙｅｓ）、ＩＣカード９０に最新のアクセス情報を上書きする（書き換える）とともに（ステップＳ１０６）、所定の鍵情報のペアを作成して片方をＩＣカード９０に書き込んで処理を終了する（ステップＳ１０７）。
【００９９】
ＩＣカード９０内に、以前に書き込まれたアクセス情報があり、それが、ステップＳ１０４にて更新したアクセス情報と内容が同じものであれば、ＩＣカード９０へのアクセス情報の上書きが不要であると判断し（ステップＳ１０５；Ｎｏ）、本処理を終了する。図４のフローでは、アクセス情報の上書きが不要であると判断した場合は、鍵情報の更新を実行していないが、鍵情報を更新するようにしてもよい。
【０１００】
図５は、画像形成装置１０が、ＰＣ端末４０にアクセス可能なネットワーク設定を設定する処理を示す。まず、情報読取部２４にＩＣカード９０がタッチされたら、ＩＣカード９０からユーザ情報等を読み出してユーザ認証を行う（ステップＳ２０１）。
【０１０１】
ユーザ認証が成功しなければ（ステップＳ２０２；Ｎｏ）ステップＳ２０１に戻って処理を継続する。ユーザ認証に成功した場合は（ステップＳ２０２；Ｙｅｓ）、ログイン処理を行う（ステップＳ２０３）とともに、ＩＣカード９０からアクセス情報および鍵情報などを取得する（ステップＳ２０４）。
【０１０２】
次に、ステップＳ２０４で取得したアクセス情報に基づいて、ネットワーク設定を設定する。この時、画像形成装置１０は、この新たなネットワーク設定を、自装置が既に保持しているネットワーク設定とは別に追加設定する（ステップＳ２０５）。新たなネットワーク設定を上書きするのではなく、追加設定することで自装置が既に保持しているネットワーク設定と新たに追加したネットワーク設定のいずれを使用するかを選択することができる。
【０１０３】
次に、ステップＳ２０５にて追加設定したネットワーク設定を使用して、ステップＳ２０４で取得した鍵情報をＰＣ端末４０に送信し、アクセス権の有無をＰＣ端末４０に問い合わせる（ステップＳ２０６）。
【０１０４】
ＰＣ端末４０から、アクセス権ありの判定結果が返ってきた場合は（ステップＳ２０７；Ｙｅｓ）、ステップＳ２０５にて追加設定したネットワーク設定を使用してＰＣ端末４０へデータを送信する動作を許可し、本処理を終了する。ステップＳ２０５にて追加設定したネットワーク設定を使用してＰＣ端末４０へデータを送信する動作が許可されると、たとえば、スキャンジョブによって得た画像データを外部に送信する場合に、送信先の候補としてＰＣ端末４０が一の送信先候補として表示され、該ＰＣ端末４０が送信先として選択されたら、該ネットワーク設定を使用してＰＣ端末４０へデータを送信する。
【０１０５】
ＰＣ端末４０から、アクセス権無しの判定結果が返ってきた場合、もしくは一定時間以上返答が無い場合は（ステップＳ２０７；Ｎｏ）、ＰＣ端末４０へのアクセス権が無いと判断し（ステップＳ２０８）、ネットワーク設定から、ステップＳ２０５にて追加設定したネットワーク設定を削除して（ステップＳ２０９）本処理を終了する。
【０１０６】
本発明の実施の形態では、ネットワーク設定を追加設定したらすぐに鍵情報によるアクセス権の有無を調べていたが、鍵情報によるアクセス権の有無は、ＰＣ端末４０にデータを送信する直前に調べてもよい。
【０１０７】
ステップＳ２０５にて画像形成装置１０に追加設定したネットワーク設定は、ユーザがログアウトする際に削除される。図６は、画像形成装置１０が、ログアウト時にネットワーク設定を削除する処理を示す。
【０１０８】
まず、ユーザがログインしている状態の画像形成装置１０は、ログアウトの実行操作を受けるまで待って（ステップＳ３０１；Ｎｏ）、ログアウトの実行操作を受けたら（ステップＳ３０１；Ｙｅｓ）、図５のステップＳ２０５で追加設定したネットワーク設定が残っている場合はそれを削除する（ステップＳ３０２）。その後ログアウトの処理を実行し（ステップＳ３０３）、本処理を終了する。
【０１０９】
次に、画像形成装置１０が貸し出しサーバからＰＣ端末４０にアクセスするためのアカウントや送信元アドレスを借り受ける場合の処理について説明する。なお、以下に説明する図７〜図１０では、送信元アドレスを借り受ける場合を例に説明する。
【０１１０】
図７は、ＰＣ端末４０に送信元アドレスを貸し出しサーバから借り受ける場合に画像形成装置１０が行う処理を示す。まず、情報読取部２４にＩＣカード９０がタッチされたら、ＩＣカード９０からユーザ情報等を読み出してユーザ認証を行う（ステップＳ４０１）。
【０１１１】
ユーザ認証が成功しなければ（ステップＳ４０２；Ｎｏ）ステップＳ４０１に戻って処理を継続する。ユーザ認証に成功した場合は（ステップＳ４０２；Ｙｅｓ）、ログイン処理を行う（ステップＳ４０３）とともに、ＩＣカード９０からアクセス情報および鍵情報などを取得する（ステップＳ４０４）。
【０１１２】
ステップＳ４０４にて取得した設定情報の中に、貸し出しサーバのアドレスがない場合は（ステップＳ４０５；Ｎｏ）、ステップＳ４０８に進む。ステップＳ４０４にて取得した設定情報の中に、貸し出しサーバのアドレスがある場合は（ステップＳ４０５；Ｙｅｓ）、該アドレスを使用して貸し出しサーバに送信元アドレス（貸し出し用アドレス）の貸し出しを要求する（ステップＳ４０６）。
【０１１３】
貸し出しサーバから貸し出し用アドレスを取得できなければ（ステップＳ４０７；Ｎｏ）、本処理を終了する。貸し出しサーバから貸し出し用アドレスを取得したら、（ステップＳ４０７；Ｙｅｓ）、該貸し出し用アドレスと、ステップＳ４０４にて取得したアクセス情報の両方に基づいて、ネットワーク設定を設定する。この時、画像形成装置１０は、この新たなネットワーク設定を、自装置が既に保持しているネットワーク設定とは別に追加設定する（ステップＳ４０８）。
【０１１４】
ステップＳ４０５；Ｎｏを経由してステップＳ４０８に来た場合は、ステップＳ４０４にて取得したアクセス情報のみに基づいてネットワーク設定を設定する。
【０１１５】
次に、ステップＳ４０８にて追加設定したネットワーク設定を使用して、ステップＳ４０４で取得した鍵情報をＰＣ端末４０に送信し、アクセス権の有無をＰＣ端末４０に問い合わせる（ステップＳ４０９）。
【０１１６】
ＰＣ端末４０から、アクセス権ありの判定結果が返ってきた場合は（ステップＳ４１０；Ｙｅｓ）、ステップＳ４０８にて追加設定したネットワーク設定を使用してＰＣ端末４０へデータを送信する動作を許可し、本処理を終了する。
【０１１７】
ＰＣ端末４０から、アクセス権無しの判定結果が返ってきた場合、もしくは一定時間以上返答が無い場合は（ステップＳ４１０；Ｎｏ）、ＰＣ端末４０へのアクセス権が無いと判断し（ステップＳ４１１）、ネットワーク設定から、ステップＳ４０８にて追加設定したネットワーク設定を削除して（ステップＳ４１２）本処理を終了する。
【０１１８】
次に、貸し出しサーバが行う処理について説明する。図８は、画像形成装置１０から貸し出し用アドレスの要求を受けた貸し出しサーバが、貸し出し用アドレスを貸し出す処理を示す。まず、画像形成装置１０から貸し出し用アドレスの要求を受けたら（ステップＳ５０１）、貸し出し用アドレスとして貸し出しが可能なアドレスを検索する（ステップＳ５０２）。
【０１１９】
貸し出しサーバは、１または複数の貸し出し用アドレスを管理する。各貸し出し用アドレスには、対応する貸し出し中フラグがあり、貸し出しサーバがＯＮ、ＯＦＦの切り替えを行う。ＯＮの状態は既に貸し出し中、ＯＦＦの状態は貸し出し可能を示す。
【０１２０】
貸し出しフラグがＯＦＦの状態のアドレスがなければ、すなわち、貸し出し可能な状態のアドレスがなければ（ステップＳ５０３；Ｎｏ）、その旨（貸し出し用アドレスの貸し出しに失敗したことを）を画像形成装置１０に報告して（ステップＳ５０６）、本処理を終了する。
【０１２１】
貸し出しフラグがＯＦＦの状態のアドレスがあれば、すなわち貸し出し可能な状態のアドレスがあれば（ステップＳ５０３；Ｙｅｓ）、そのアドレスに対応する貸し出し中フラグをＯＮに変更するとともに（ステップＳ５０４）、該アドレスと、貸し出し用アドレスの貸し出しに成功した旨の報告を画像形成装置１０に送信し（ステップＳ５０５）、本処理を終了する。
【０１２２】
画像形成装置１０は、貸し出し用アドレスを借り受けた場合、ログアウト時に貸し出しサーバに返却を行う。図９は、貸し出しサーバからアドレスを借り受けた画像形成装置１０がログアウト時に行う処理について説明する。
【０１２３】
まず、ユーザがログインしている状態の画像形成装置１０は、ログアウトの実行操作を受けたら、図７のステップＳ４０８で追加設定したネットワーク設定を削除する（ステップＳ６０１）。
【０１２４】
その後、ステップＳ６０１にて削除したネットワーク設定にて設定されているアドレスが、貸し出しサーバから取得したものでなければ（ステップＳ６０２；Ｎｏ）、ステップＳ６０４に進む。
【０１２５】
ステップＳ６０１にて削除したネットワーク設定にて設定されているアドレスが、貸し出しサーバから取得したものであれば（ステップＳ６０２；Ｙｅｓ）、該アドレスを貸し出しサーバに返却し（ステップＳ６０３）、ログアウト処理を行い（ステップＳ６０４）、本処理を終了する。
【０１２６】
貸し出しサーバから借り受けたアカウントと送信元アドレスは、一時的に借り受けたものであり、たとえば、ログアウトに伴ってネットワーク設定を削除したら使用不可能となる。
【０１２７】
図１０は、貸し出し中のアドレスが返却される場合に貸し出しサーバが行う処理を示す。まず、画像形成装置１０からアドレスの返却要求を受ける（ステップＳ７０１）。次に、返却要求の対象となったアドレスに対応する貸し出しフラグはＯＮの状態（貸し出し中）になっているかを調べる（ステップＳ７０２）。
【０１２８】
貸し出しフラグがＯＮの状態（貸し出し中）であれば（ステップＳ７０２；Ｙｅｓ）、その貸し出しフラグをＯＦＦ状態に切り替え（ステップＳ７０３）、画像形成装置１０に返却が完了した旨を送信し（ステップＳ７０４）、本処理を終了する。
【０１２９】
貸し出しフラグがＯＦＦの状態であれば（ステップＳ７０２；Ｎｏ）、すでに該アドレスは返却済みであると判断し、返却が失敗した旨を画像形成装置１０に送信して（ステップＳ７０５）、本処理を終了する。
【０１３０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３１】
本発明の実施の形態では、ＰＣ端末４０と、本発明の書き込み装置としての役割を果たすカードアクセス装置５０は一体の装置であったが別体の装置であってもよい。また、カードアクセス装置５０は他の装置に接続されていてもよい。たとえば、ＰＣ端末４０ではなく、管理サーバにカードアクセス装置５０が接続されている場合、該管理サーバはネットワーク構成等を監視し、アクセス情報として書き込む内容を最新のものに更新し、その最新の内容のアクセス情報をＩＣカード９０に書き込む。
【０１３２】
本発明の実施の形態では、画像形成装置１０およびＰＣ端末４０へのログインに使用するＩＣカード９０が、本発明における記憶媒体としての役割を果たしていたが、記憶媒体は他の媒体であってもよい。該記憶媒体へのデータ書き込みおよびデータ読み出しは、ログインに成功した時意外のタイミングで行ってもよい。
【０１３３】
本発明の実施の形態では、ログインの成功時に自動的にアクセス情報の書き込み、読み出しが行われていたが、ＩＣカード９０に書き込むか否か、ＩＣカード９０から読み出すか否かをユーザが選択可能であってもよい。これにより、ＰＣ端末４０と画像形成装置１０を順番に使用するが画像形成装置１０からＰＣ端末４０へのデータの送信を行う予定が無い場合、たとえば、ＰＣ端末４０以外の装置にデータを送信する予定の場合等には無駄にアクセス情報の書き込み、および読み出しが行われなくなる。
【０１３４】
また、画像形成装置１０にてアクセス情報の読み出しが行われた場合であっても、該アクセス情報に基づくネットワーク設定を設定するか否かをユーザが選択可能であってもよい。
【０１３５】
本発明の実施の形態では、ＰＣ端末４０でＩＣカード９０にアクセス情報を書き込んだ後、画像形成装置１０にログインするまでの間の時間に係る制限を設けていなかったが、ＰＣ端末４０でＩＣカード９０にアクセス情報を書き込んでから、所定時間以内に画像形成装置１０にログインした場合だけ、該アクセス情報に基づくネットワーク設定が有効になるようにしてもよい。
【０１３６】
本発明の実施の形態では、画像形成装置１０は、ＩＣカード９０から取得したアクセス情報に基づくＰＣ端末４０にアクセスするためのネットワーク設定を、自装置が既に保持しているネットワーク設定とは別に追加設定していたが、追加設定ではなく自装置が既に保持しているネットワーク設定に上書き設定してもよい。
【符号の説明】
【０１３７】
３…ネットワーク
７…アクセス情報設定システム
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２３…認証部
２４…情報読取部
３０…操作パネル
３１…表示部
３２…操作部
３３…スイッチ部
３４…タッチパネル部
４０…ＰＣ端末
５０…カードアクセス装置
６０（Ａ、Ｂ）…ルータ
９０…ＩＣカード
１００…アクセス情報
１１０…設定情報
【図１】
2018116664.tif 000003
【図２】
2018116664.tif 000004
【図３】
2018116664.tif 000005
【図４】
2018116664.tif 000006
【図５】
2018116664.tif 000007
【図６】
2018116664.tif 000008
【図７】
2018116664.tif 000009
【図８】
2018116664.tif 000010
【図９】
2018116664.tif 000011
【図１０】
2018116664.tif 000012